(57)【特許請求の範囲】
【請求項１】
テレビ放送波を受信し、映像情報及び音声情報からなる番組コンテンツを抽出するテレビ放送受信手段と、
上記番組コンテンツを時系列上で細分化した詳細コンテンツに対し、文字情報からなる見出し情報を生成する見出し情報生成手段と、
上記詳細コンテンツに上記見出し情報を対応づけて、上記番組コンテンツをコンテンツ記録媒体に録画する番組コンテンツ録画手段と、
セルラー無線基地局を介して、文字情報からなる配信情報を受信する配信情報受信手段と、
上記配信情報に基づいて上記見出し情報を検索する見出し情報検索手段と、
上記見出し情報検索手段の検索結果に基づいて、上記コンテンツ記録媒体に録画された上記詳細コンテンツを再生する詳細コンテンツ再生手段とを備えたことを特徴とするテレビ番組録画再生装置。
【請求項２】
上記見出し情報生成手段は、上記テレビ放送波に含まれる文字情報を抽出することにより、上記見出し情報を生成することを特徴とする請求項１に記載のテレビ番組録画再生装置。
【請求項３】
上記見出し情報生成手段は、上記番組コンテンツを構成する上記音声情報に基づいて、上記見出し情報を生成することを特徴とする請求項１に記載のテレビ番組録画再生装置。
【請求項４】
上記配信情報受信手段は、セルラー無線基地局を介して、予め定められた時間ごとに配信される上記配信情報を受信することを特徴とする請求項１に記載のテレビ番組録画再生装置。
【請求項５】
テレビ放送波を受信し、映像情報及び音声情報からなる番組コンテンツを抽出するテレビ放送受信手段と、
上記番組コンテンツを時系列上で細分化した詳細コンテンツに対し、文字情報からなる見出し情報を生成する見出し情報生成手段と、
上記詳細コンテンツに上記見出し情報を対応づけて、上記番組コンテンツをコンテンツ記録媒体に録画する番組コンテンツ録画手段と、
セルラー無線基地局を介して携帯通信端末に配信された配信情報であって、文字情報からなる上記配信情報を上記携帯通信端末から受信する配信情報受信手段と、
上記配信情報に基づいて上記見出し情報を検索する見出し情報検索手段と、
上記見出し情報検索手段の検索結果に基づいて、上記コンテンツ記録媒体に録画された上記詳細コンテンツを再生する詳細コンテンツ再生手段とを備えたことを特徴とするテレビ番組録画再生装置。
【請求項６】
上記配信情報受信手段は、赤外線通信を利用して、上記携帯通信端末から上記配信情報を受信することを特徴とする請求項５に記載のテレビ番組録画再生装置。
【請求項７】
上記配信情報受信手段は、上記セルラー無線基地局を介して、上記携帯通信端末から上記配信情報を受信することを特徴とする請求項５に記載のテレビ番組録画再生装置。
【請求項８】
再生された上記詳細コンテンツを上記携帯通信端末へ送信する詳細コンテンツ送信手段を備えたことを特徴とする請求項５に記載のテレビ番組録画再生装置。
【請求項９】
映像情報及び音声情報からなる番組コンテンツをテレビ放送波から抽出し、上記番組コンテンツを時系列上で細分化した詳細コンテンツに文字情報からなる見出し情報を対応づけて上記番組コンテンツを録画し、上記見出し情報の検索結果に基づいて上記詳細コンテンツを再生するテレビ番組録画再生装置との間でデータ通信を行う携帯通信端末において、
セルラー無線基地局を介して、文字情報からなる配信情報を受信する配信情報受信手段と、
上記見出し情報の検索条件として、上記配信情報を上記テレビ番組録画再生装置へ送信する配信情報送信手段とを備えたことを特徴とする携帯通信端末。
【請求項１０】
上記配信情報は、セルラー無線基地局から、多数の携帯通信端末へ、予め定められた時間ごとに一斉配信されることを特徴とする請求項９に記載の携帯通信端末。
【請求項１１】
上記配信情報送信手段は、赤外線通信を利用して、上記配信情報を上記テレビ番組録画再生装置へ送信することを特徴とする請求項９に記載の携帯通信端末。
【請求項１２】
上記配信情報送信手段は、上記セルラー無線基地局を介して、上記配信情報を上記テレビ番組録画再生装置へ送信することを特徴とする請求項９に記載の携帯通信端末。
【請求項１３】
テレビ放送波を受信し、映像情報及び音声情報からなる番組コンテンツを抽出するテレビ放送受信ステップと、
上記番組コンテンツを時系列上で細分化した詳細コンテンツに対し、文字情報からなる見出し情報を生成する見出し情報生成ステップと、
上記詳細コンテンツに上記見出し情報を対応づけて、上記番組コンテンツをコンテンツ記録媒体に録画する番組コンテンツ録画ステップと、
文字情報からなる配信情報を受信する配信情報受信ステップと、
上記配信情報に基づいて上記見出し情報を検索する見出し情報検索ステップと、
上記見出し情報検索手段の検索結果に基づいて、上記コンテンツ記録媒体に録画された上記詳細コンテンツを再生する詳細コンテンツ再生ステップとを実行するためのテレビ番組録画再生装置用のコンピュータプログラム。
【請求項１４】
テレビ放送波を受信し、映像情報及び音声情報からなる番組コンテンツを抽出するテレビ放送受信ステップと、
上記番組コンテンツを時系列上で細分化した詳細コンテンツに対し、文字情報からなる見出し情報を生成する見出し情報生成ステップと、
上記詳細コンテンツに上記見出し情報を対応づけて、上記番組コンテンツをコンテンツ記録媒体に録画する番組コンテンツ録画ステップと、
セルラー無線基地局を介して配信された文字情報からなる配信情報を携帯通信端末から受信する配信情報受信ステップと、
上記配信情報に基づいて上記見出し情報を検索する見出し情報検索ステップと、
上記見出し情報検索手段の検索結果に基づいて、上記コンテンツ記録媒体に録画された上記詳細コンテンツを再生する詳細コンテンツ再生ステップとを実行するためのテレビ番組録画再生装置用のコンピュータプログラム。
【請求項１５】
映像情報及び音声情報からなる番組コンテンツをテレビ放送波から抽出し、上記番組コンテンツを時系列上で細分化した詳細コンテンツに文字情報からなる見出し情報を対応づけて上記番組コンテンツを録画し、上記見出し情報の検索結果に基づいて上記詳細コンテンツを再生するテレビ番組録画再生装置との間でデータ通信を行う携帯通信端末用のコンピュータプログラムであって、
セルラー無線基地局を介して、文字情報からなる配信情報を受信する配信情報受信ステップと、
上記見出し情報の検索条件として、上記配信情報を上記テレビ番組録画再生装置へ送信する配信情報送信ステップとを実行するための携帯通信端末用のコンピュータプログラム。
【発明の詳細な説明】
【技術分野】
【０００１】
本発明は、テレビ番組録画再生装置、携帯通信端末及びコンピュータプログラムに係り、更に詳しくは、録画済みの番組コンテンツを配信情報に基づいて再生するテレビ番組録画再生装置や、当該テレビ番組録画再生装置のための携帯通信端末及びコンピュータプログラムに関する。
【背景技術】
【０００２】
最近のセルラー通信システムでは、ニュース情報をセルラー無線基地局からマルチキャスト（一斉同時配信）するものがある。マルチキャストとは、無線サービスエリア内にいる多数の携帯電話機に対し、同一の文字情報を一斉に配信するサービスであり、各携帯電話機がニュース情報を個別にダウンロードする場合のように加入者数や利用回数に応じて無線通信トラフィックが増大することはない。従って、無線通信容量による制約を受けることなく、多数の加入者に対し、ニュース情報を配信することができる。また、マルチキャスト方式ではなく、携帯電話機からの要求に基づいてニュース情報を配信するセルラー通信システムもある。
【０００３】
このようなセルラー通信システムを利用すれば、加入者は、外出先であってもニュース情報を取得して、最新のニュースを知ることができる。例えば、勤務先での休憩時間や、電車での移動中にその日のニュースをチェックすることが可能になる。しかしながら、この様なニュース情報は、要点だけを簡便に伝える短文によって構成されている。このため、特定のニュースに関心をもつ加入者にとっては情報量が不足しており、特定のニュースについて更に詳しく知りたい加入者は、別途、テレビのニュース番組を見るなどして、詳細情報を入手する必要がある。
【０００４】
一方、テレビ番組を録画再生することができるテレビ番組録画再生装置が、ＤＶＤ（Digital Versatile Disk）レコーダ、ＨＤＤ（Hard Disk Drive）レコーダ等として広く普及している。また、最近では、ニュース番組などのように、特定ジャンルの番組を指定して録画予約を行うことができるテレビ番組録画再生装置も提供されている。このようなテレビ番組録画再生装置を用いて、ニュース番組を予め録画予約しておけば、ニュースの概要については携帯電話機を利用していち早く入手し、その詳細については、別途、録画されたニュース番組を再生して確認するという使い方ができる。
【発明の開示】
【発明が解決しようとする課題】
【０００５】
しかしながら、従来のテレビ番組録画再生装置は、テレビ放送されるコンテンツをテレビ番組を単位として録画再生を行うものであり、特定のニュースに関するコンテンツのみを直ちに再生させることはできないという問題があった。つまり、ユーザが、携帯電話機を利用してニュースの概要を入手し、当該ニュースに興味をもった場合、そのニュースの詳細情報をテレビ番組録画再生装置を利用して知ろうとすれば、まず、録画済みのニュース番組を選択し、当該ニュース番組を最初から再生し、目的とするニュースに関する報道部分を探し出す必要があった。
【０００６】
また、ニュース番組は、番組ごとに報道内容が異なっており、特定のニュース番組を再生したとしても、目的としているニュースに関する報道が含まれているとは限らない。このような場合も考慮すれば、複数のニュース番組を録画しておき、これらのニュース番組の再生を順次に行って、目的とするニュースに関する報道部分を探し出す必要があった。
【０００７】
このようにして、既にニュースの概要を把握しているにもかかわらず、テレビ番組録画再生装置を利用して更なる詳細情報を知ろうとすれば、ニュース番組を最初から再生し、所望のニュースに関する報道部分を探さなければならないという煩雑さがあった。また、複数のニュース番組を順に再生していき、所望のニュースに関する報道部分を探さなければならないという煩雑さがあった。
【０００８】
本発明は、上記の事情に鑑みてなされたものであり、テレビ放送される番組コンテンツを録画し、録画された番組コンテンツの中から、ユーザが視聴したいコンテンツを抜き出して再生するテレビ番組録画再生装置を提供することを目的とする。特に、番組コンテンツを時系列上で細分化した詳細コンテンツであって、セルラー無線基地局からの配信情報に関連するコンテンツを選択し、再生することができるテレビ番組録画再生装置を提供することを目的とする。
【０００９】
また、セルラー無線基地局から配信情報を受信し、録画済みの番組コンテンツの中から当該配信情報に関連する詳細コンテンツを選択し、再生するようにテレビ番組録画再生装置を制御する携帯通信端末を提供することを目的とする。
【００１０】
さらに、上述したテレビ番組録画再生装置及び携帯通信端末を実現するためのコンピュータプログラムを提供することを目的とする。
【課題を解決するための手段】
【００１１】
第１の本発明によるテレビ番組録画再生装置は、テレビ放送波を受信し、映像情報及び音声情報からなる番組コンテンツを抽出するテレビ放送受信手段と、上記番組コンテンツを時系列上で細分化した詳細コンテンツに対し、文字情報からなる見出し情報を生成する見出し情報生成手段と、上記詳細コンテンツに上記見出し情報を対応づけて、上記番組コンテンツをコンテンツ記録媒体に録画する番組コンテンツ録画手段と、セルラー無線基地局を介して、文字情報からなる配信情報を受信する配信情報受信手段と、上記配信情報に基づいて上記見出し情報を検索する見出し情報検索手段と、上記見出し情報検索手段の検索結果に基づいて、上記コンテンツ記録媒体に録画された上記詳細コンテンツを再生する詳細コンテンツ再生手段とを備えて構成される。
【００１２】
この様な構成により、録画された１又は２以上の番組コンテンツの中から、番組コンテンツを細分化した詳細コンテンツであって、セルラー無線基地局を介して配信される配信情報との関連性の高い詳細コンテンツを選択して再生することができる。このため、多数の番組コンテンツの中から、配信情報に関連するコンテンツをだけを抜き出して視聴することができ、視聴したいコンテンツを探す作業を省略することができる。
【００１３】
第２の本発明によるテレビ番組録画再生装置は、上記構成に加えて、上記見出し情報生成手段が、上記テレビ放送波に含まれる文字情報を抽出することにより、上記見出し情報を生成するように構成される。例えば、データ放送や文字放送に含まれる文字情報から見出し情報を生成することができる。また、映像情報にテロップや字幕として含まれている文字情報から見出し情報を生成することもできる。
【００１４】
第３の本発明によるテレビ番組録画再生装置は、上記構成に加えて、上記見出し情報生成手段が、上記番組コンテンツを構成する上記音声情報に基づいて、上記見出し情報を生成するように構成される。このような構成により、文字情報を用いることなく見出し情報を生成することができる。例えば、ニュース番組であれば、アナウンサーの音声を解析して見出し情報を生成することができる。
【００１５】
第４の本発明によるテレビ番組録画再生装置は、上記構成に加えて、上記配信情報受信手段が、セルラー無線基地局を介して、予め定められた時間ごとに配信される上記配信情報を受信するように構成される。
【００１６】
第５の本発明によるテレビ番組録画再生装置は、テレビ放送波を受信し、映像情報及び音声情報からなる番組コンテンツを抽出するテレビ放送受信手段と、上記番組コンテンツを時系列上で細分化した詳細コンテンツに対し、文字情報からなる見出し情報を生成する見出し情報生成手段と、上記詳細コンテンツに上記見出し情報を対応づけて、上記番組コンテンツをコンテンツ記録媒体に録画する番組コンテンツ録画手段と、セルラー無線基地局を介して携帯通信端末に配信された配信情報であって、文字情報からなる上記配信情報を上記携帯通信端末から受信する配信情報受信手段と、上記配信情報に基づいて上記見出し情報を検索する見出し情報検索手段と、上記見出し情報検索手段の検索結果に基づいて、上記コンテンツ記録媒体に録画された上記詳細コンテンツを再生する詳細コンテンツ再生手段とを備えて構成される。この様な構成により、赤外線通信等を利用して、携帯通信端末から配信情報を受信することができ、当該配信情報に基づいて詳細コンテンツを再生することができる。
【００１７】
第６の本発明によるテレビ番組録画再生装置は、上記構成に加えて、上記配信情報受信手段が、赤外線通信を利用して、上記携帯通信端末から上記配信情報を受信するように構成される。
【００１８】
第７の本発明によるテレビ番組録画再生装置は、上記構成に加えて、上記配信情報受信手段が、上記セルラー無線基地局を介して、上記携帯通信端末から上記配信情報を受信するように構成される。
【００１９】
第８の本発明によるテレビ番組録画再生装置は、上記構成に加えて、再生された上記詳細コンテンツを上記携帯通信端末へ送信する詳細コンテンツ送信手段を備えて構成される。
【００２０】
第９の本発明による携帯通信端末は、映像情報及び音声情報からなる番組コンテンツをテレビ放送波から抽出し、上記番組コンテンツを時系列上で細分化した詳細コンテンツに文字情報からなる見出し情報を対応づけて上記番組コンテンツを録画し、上記見出し情報の検索結果に基づいて上記詳細コンテンツを再生するテレビ番組録画再生装置との間でデータ通信を行う携帯通信端末において、セルラー無線基地局を介して、文字情報からなる配信情報を受信する配信情報受信手段と、上記見出し情報の検索条件として、上記配信情報を上記テレビ番組録画再生装置へ送信する配信情報送信手段とを備えて構成される。
【００２１】
第１０の本発明による携帯通信端末は、上記構成に加えて、上記配信情報が、セルラー無線基地局から、多数の携帯通信端末へ、予め定められた時間ごとに一斉配信されるように構成される。
【００２２】
第１１の本発明による携帯通信端末は、上記構成に加えて、上記配信情報送信手段が、赤外線通信を利用して、上記配信情報を上記テレビ番組録画再生装置へ送信するように構成される。
【００２３】
第１２の本発明による携帯通信端末は、上記構成に加えて、上記配信情報送信手段が、上記セルラー無線基地局を介して、上記配信情報を上記テレビ番組録画再生装置へ送信するように構成される。
【００２４】
第１３の本発明によるテレビ番組録画再生装置用のコンピュータプログラムは、テレビ放送波を受信し、映像情報及び音声情報からなる番組コンテンツを抽出するテレビ放送受信ステップと、上記番組コンテンツを時系列上で細分化した詳細コンテンツに対し、文字情報からなる見出し情報を生成する見出し情報生成ステップと、上記詳細コンテンツに上記見出し情報を対応づけて、上記番組コンテンツをコンテンツ記録媒体に録画する番組コンテンツ録画ステップと、文字情報からなる配信情報を受信する配信情報受信ステップと、上記配信情報に基づいて上記見出し情報を検索する見出し情報検索ステップと、上記見出し情報検索手段の検索結果に基づいて、上記コンテンツ記録媒体に録画された上記詳細コンテンツを再生する詳細コンテンツ再生ステップとを実行するように構成される。
【００２５】
第１４の本発明によるテレビ番組録画再生装置用のコンピュータプログラムは、テレビ放送波を受信し、映像情報及び音声情報からなる番組コンテンツを抽出するテレビ放送受信ステップと、上記番組コンテンツを時系列上で細分化した詳細コンテンツに対し、文字情報からなる見出し情報を生成する見出し情報生成ステップと、上記詳細コンテンツに上記見出し情報を対応づけて、上記番組コンテンツをコンテンツ記録媒体に録画する番組コンテンツ録画ステップと、セルラー無線基地局を介して配信された文字情報からなる配信情報を携帯通信端末から受信する配信情報受信ステップと、上記配信情報に基づいて上記見出し情報を検索する見出し情報検索ステップと、上記見出し情報検索手段の検索結果に基づいて、上記コンテンツ記録媒体に録画された上記詳細コンテンツを再生する詳細コンテンツ再生ステップとを実行するように構成される。
【００２６】
第１５の本発明による携帯通信端末用のコンピュータプログラムは、映像情報及び音声情報からなる番組コンテンツをテレビ放送波から抽出し、上記番組コンテンツを時系列上で細分化した詳細コンテンツに文字情報からなる見出し情報を対応づけて上記番組コンテンツを録画し、上記見出し情報の検索結果に基づいて上記詳細コンテンツを再生するテレビ番組録画再生装置との間でデータ通信を行う携帯通信端末用のコンピュータプログラムであって、セルラー無線基地局を介して、文字情報からなる配信情報を受信する配信情報受信ステップと、上記見出し情報の検索条件として、上記配信情報を上記テレビ番組録画再生装置へ送信する配信情報送信ステップとを実行するように構成される。
【発明の効果】
【００２７】
本発明によれば、録画された番組コンテンツの中から、ユーザが視聴したいコンテンツを抜き出して再生するテレビ番組録画再生装置を提供することができる。特に、番組コンテンツを時系列上で細分化した詳細コンテンツであって、セルラー無線基地局からの配信情報に関連するコンテンツを選択し、再生することができるテレビ番組録画再生装置を提供することができる。
【００２８】
また、セルラー無線基地局から配信情報を受信し、録画済みの番組コンテンツの中から当該配信情報に関連する詳細コンテンツを選択し、再生するようにテレビ番組録画再生装置を制御する携帯通信端末を提供することができる。
【００２９】
さらに、上述したテレビ番組録画再生装置及び携帯通信端末を実現するためのコンピュータプログラムを提供することができる。
【発明を実施するための最良の形態】
【００３０】
以下の本発明による実施の形態では、動画像からなる映像情報と、当該映像情報に関連づけられた音声情報とによって構成される音声付動画像をコンテンツと呼ぶ。また、テレビ放送されるコンテンツは、テレビ放送事業者によってテレビ番組に予め区分されており、テレビ番組ごとのコンテンツを番組コンテンツと呼ぶことにする。このような番組コンテンツを時系列上で細分化したコンテンツを詳細コンテンツと呼ぶことにする。
【００３１】
実施の形態１．
図１は、本発明の実施の形態１によるテレビ番組録画再生システムの一構成例を示した図である。このテレビ番組録画再生システムは、テレビ番組録画再生装置１ａ、携帯電話機２ａ及びコンテンツ出力装置３によって構成される。テレビ番組録画再生装置１ａ及びコンテンツ出力装置３は、携帯電話機２ａの加入者の自宅等に設置された据置型装置である。また、テレビ番組録画再生装置１ａには、コンテンツ出力装置３及びテレビアンテナ４が接続されている。
【００３２】
テレビ番組録画再生装置１ａは、テレビ放送波から番組コンテンツを抽出して、コンテンツ記録媒体に記録し、再生することができるテレビ番組の記録再生装置である。テレビ電波塔５から送出されたテレビ放送波は、テレビアンテナ４によって受信され、テレビ番組録画再生装置１ａへ入力されている。
【００３３】
このテレビ番組録画再生装置１ａは、予め指定されたテレビ番組を録画する際、番組コンテンツを詳細コンテンツに細分化し、詳細コンテンツに対し見出し情報を関連づけて記録している。このため、見出し情報の検索を行うことによって、所望の詳細コンテンツを選択して再生することができる。
【００３４】
コンテンツ出力装置３は、テレビ番組録画再生装置１ａから出力されるコンテンツを視聴可能に出力する装置であり、映像情報を出力するための表示装置と、音声情報を出力するためのスピーカを備えている。通常は、コンテンツ出力装置３としてテレビ受像機が用いられる。
【００３５】
携帯電話機２ａは、セルラー無線基地局６を介して、移動体通信ネットワークＮに接続された携帯通信端末であり、図示しない情報配信サーバーから定期的に配信情報を受信している。また、テレビ番組録画再生装置１ａとの間で赤外線通信を行うことができ、テレビ番組録画再生装置１ａの録画再生を遠隔制御するリモコン（遠隔制御端末）として機能させることができる。
【００３６】
このため、テレビ番組録画再生装置１ａへ赤外線信号を送信し、録画済みの番組コンテンツの中から、セルラー無線基地局６から配信された配信情報に関連する詳細コンテンツを検索して再生させることができる。つまり、ユーザが、セルラー無線基地局６から配信された配信情報についてさらに詳しく知りたい場合、当該配信情報に関連するコンテンツがテレビ番組録画再生装置１ａによって録画されていれば、番組コンテンツを更に細分化した詳細コンテンツを単位として再生させることができる。
【００３７】
図２は、図１のテレビ番組録画再生装置１ａの一構成例を示したブロック図である。このテレビ番組録画再生装置１ａは、操作入力部１０、赤外線受信部１１、録画予約管理部１２、テレビチューナ１３、見出し情報生成部１４、番組コンテンツ録画部１５、コンテンツ記録部１６、見出し情報検索部１７及び詳細コンテンツ再生部１８によって構成される。
【００３８】
操作入力部１０及び赤外線受信部１１は、録画予約や再生などを制御するための入力手段である。操作入力部１０は、テレビ番組録画再生装置１ａに設けられたボタンの操作を検出し、操作信号を出力する。赤外線受信部１１は、携帯電話機２ａから送信された赤外線信号を受信し、当該赤外線信号に含まれる制御情報を出力する。
【００３９】
録画予約管理部１２は、テレビ番組の録画予約を管理している。録画するテレビ番組の指定は、周知の録画予約方法を用いてユーザが指定する。例えば、番組名や放送時刻などをユーザが入力して予約したり、ＧコードやＥＰＧ（Electric Program Guide:電子番組ガイド）を利用して予約することもできる。また、ユーザが番組ジャンルを指定し、テレビ番組録画再生装置１ａが、ＥＰＧ等を利用して、当該番組ジャンルに属する１又は２以上のテレビ番組を自動的に選択することにより予約することもできる。
【００４０】
テレビチューナ１３は、指定されたチャンネル周波数の信号を抽出する同調回路を備え、録画予約管理部１２の指示に基づいて、テレビ放送波から録画対象となる番組コンテンツ７０を抽出する。つまり、録画予約されている時刻になれば、録画予約で指定されたチャンネル周波数から番組コンテンツ７０の抽出を開始する。また、録画対象の番組コンテンツ７０に対応する文字情報がテレビ放送波に含まれている場合、例えば、データ放送や文字放送が含まれている場合には、これらの文字情報も抽出する。
【００４１】
見出し情報生成部１４は、録画対象の番組コンテンツ７０に関して、テレビ放送波に基づいて見出し情報７２を生成する。見出し情報７２とは、コンテンツの概要を示す文字情報であり、見出し情報生成部１４は、番組コンテンツ７０を時系列上で細分化した詳細コンテンツ７１ごとに見出し情報７２を生成している。この見出し情報７２は、例えば、テレビ放送波に含まれるデータ放送や文字放送に基づいて生成され、番組コンテンツ７０中にテロップ表示された文字列を抽出して生成され、あるいは、アナウンサーがニュースを読み上げる音声情報を認識し内容を解析して生成される。番組コンテンツ７０の詳細コンテンツ７１への細分化は、上記見出し情報７２に基づいて行うことができる。
【００４２】
番組コンテンツ録画部１５は、詳細コンテンツ７１に見出し情報７２を関連づけて、番組コンテンツ７０をコンテンツ記録部１６に格納するコンテンツ録画手段である。例えば、１つの番組コンテンツ７０と、１又は２以上の見出し情報７２と、これらの見出し情報７２が対応づけられている詳細コンテンツ７１の上記番組コンテンツ７０中における時間位置をコンテンツ記録部１６に格納する。
【００４３】
コンテンツ記録部１６は、番組コンテンツ７０と、当該番組コンテンツ７０を構成する詳細コンテンツ７１に対応づけられた見出し情報７２とを保持する記憶装置である。この記憶装置の記憶媒体には、ハードディスクなどのディスク型磁気記憶媒体や、ＤＶＤのようなディスク型光学記憶媒体や、フラッシュメモリなどの半導体記憶素子などを用いることができる。また、交換可能なリムーバブル媒体であってもよい。とりわけ、ハードディスクは、消去及び上書きを自由に行うことができ、詳細コンテンツ７１の頭出しも高速に行うことができることから、コンテンツ記録部１６の記録媒体に好適である。
【００４４】
見出し情報検索部１７は、コンテンツ記録部１６に保持されている見出し情報７２の検索を行って、再生対象となる詳細コンテンツを選択する。見出し情報７２の検索は、赤外線受信部１１が携帯電話機２ａから受信した再生信号に基づいて行われる。再生信号には配信情報が含まれており、当該配信情報と、コンテンツ記録部１６内の見出し情報７２とを比較し、一致する見出し情報７２が見つかれば、当該見出し情報７２に対応している詳細コンテンツ７１が選択される。なお、配信情報が見出し情報と完全に一致するとは限らない。例えば、配信情報が「Ａ大臣辞任」であり、見出し情報７２が「Ａ大臣が突然辞任し民自党混乱」等となっている場合もある。このため、両者の比較は、言語分析に基づいて行われることが望ましい。
【００４５】
なお、検索の結果、複数の見出し情報７２がヒットした場合、これらの見出し情報７２に対応する詳細コンテンツ７１を順に再生させる。つまり、１つの詳細コンテンツ７１の再生が終了すれば、次の詳細コンテンツ７１の再生が自動的に開始する。ヒットした見出し情報７２を表示し、再生順序をユーザに選択させてもよいし、いずれか一つの詳細コンテンツ７１を再生対象としてユーザに選択させてもよい。
【００４６】
詳細コンテンツ再生部１８は、見出し情報検索部１７によって選択された詳細コンテンツ７１をコンテンツ記録部１６から読み出して再生する。再生された詳細コンテンツ７１は、コンテンツ出力装置３へ出力される。
【００４７】
図３は、図１の携帯電話機２ａの一構成例を示したブロック図である。この携帯電話機２ａは、セルラー通信部２０、操作入力部２１、配信情報記憶部２２、配信情報管理部２３、表示装置２４、リモコン部２５及び赤外線通信部２６によって構成される。
【００４８】
セルラー通信部２０は、セルラー無線基地局６との間で無線信号の送受信を行うセルラー通信手段である。つまり、携帯電話機２ａは、セルラー無線基地局６を介して、移動体通信ネットワークＮに接続され、他の通信端末との通話や電子メールの送受信を行うことができる。
【００４９】
また、セルラー通信部２０は、定期的に配信情報を受信している。この配信情報は、例えば、数十字から数百字程度の文字情報で構成され、セルラー無線基地局６から多数の携帯電話機へ所定時刻に一斉配信（マルチキャスト）される。また、マルチキャスト方式に代えて、携帯電話機２ａにおいて予め指定されている所定時刻に、セルラー無線基地局６を介して、携帯電話機２ａから情報配信サーバへ要求を送出し、当該情報配信サーバから配信情報をダウンロードすることもできる。
【００５０】
操作入力部２１は、セルラー通信を制御したり、テレビ番組録画再生装置１ａを遠隔制御するための入力手段であり、携帯電話機２ａに設けられたボタンの操作を検出し、操作信号を出力する。
【００５１】
配信情報管理部２３は、セルラー通信部２０がセルラー無線基地局６から受信した配信情報を管理している。すなわち、受信した配信情報を配信情報記憶部２２に格納し、また、操作入力部２１の出力に基づいて、配信情報記憶部２２から配信情報を読み出し、表示装置２４に表示させる。ユーザは、表示装置２４を見ながらボタン操作を行うことによって、配信情報記憶部２２内に保持されている配信情報を閲覧することができ、これらの配信情報のいずれかを選択することができる。
【００５２】
リモコン部２５は、操作入力部２１の出力に基づいて、テレビ番組録画再生装置１ａの遠隔制御を行っている。リモコン部２５から出力される制御信号は、赤外線通信部２６によって、赤外線信号としてテレビ番組録画再生装置１ａへ送信される。つまり、ユーザがボタン操作を行うことによって、携帯電話機１ａ及びテレビ番組録画再生装置１ａ間で赤外線通信が行われ、録画予約やコンテンツの再生を指示することができる。
【００５３】
携帯電話機２ａから詳細コンテンツ７１の再生を指示する場合、配信情報記憶部２２内の配信情報をユーザが選択することによって、再生対象となる詳細コンテンツ７１を指定することができる。すなわち、リモコン部２５は、ユーザ操作によって詳細コンテンツ７１の再生が指示されると、ユーザが選択した配信情報を含む詳細コンテンツ再生のための再生信号を生成し、赤外線通信部２６が、この再生信号を赤外線信号として送出する。再生信号を受信したテレビ番組録画再生装置１ａでは、再生信号に含まれている配信情報に基づいて見出し情報７２を検索し、当該配信情報に関連する詳細コンテンツ７１を再生する。
【００５４】
図４のステップＳ１０１〜Ｓ１０３は、図３の携帯電話機２ａの動作の一例を示したフローチャートである。携帯電話機２ａは、セルラー無線基地局６を介して、情報配信サーバからの配信情報を受信する（ステップＳ１０１）。ここでは、定期的に配信されているニュース情報を受信するものとする。これらのニュース情報の中から「Ａ大臣辞任」というニュースに興味をもったユーザは、「Ａ大臣辞任」のニュース情報を選択し（ステップＳ１０２）、当該ニュースに関連する詳細コンテンツ７１の再生を指示する再生信号をテレビ番組録画再生装置１ａへ送信する（ステップＳ１０３）。
【００５５】
図５のステップＳ２０１〜Ｓ２０６は、図２のテレビ番組録画再生装置１ａの動作の一例を示したフローチャートである。予約されている録画開始時刻になると、テレビ番組の録画が開始される（ステップＳ２０１）。例えば、録画対象の番組ジャンルとしてユーザが「ニュース」を指定し、複数のニュース番組の録画予約が一括して行われている場合であれば、複数のニュース番組の録画が行われる。
【００５６】
次に、携帯電話機２ａから再生信号を受信したテレビ番組録画再生装置１ａは、当該再生信号が番組コンテンツ７０の再生を指示する通常再生のための制御信号であれば、番組コンテンツ７０の再生を開始する（ステップＳ２０２〜２０４）。この通常再生の動作は、周知のテレビ番組録画再生装置による再生動作と同様であり、例えば、最後に再生を行った番組コンテンツの再生停止位置から再生が開始される。また、ユーザによって番組コンテンツ７０が指定されている場合には、当該番組コンテンツ７０が再生される。
【００５７】
一方、上記再生信号が、見出し情報７２の検索及び詳細コンテンツ７１の再生を指示する検索再生のための制御信号であれば、当該再生信号に含まれる配信情報に基づいて、コンテンツ記録部１６に保持されている見出し情報７２の検索が行われる（ステップＳ２０５）。この検索によって、「Ａ大臣辞任」というキーワードが含まれている見出し情報７２が発見されれば、当該見出し情報７２に関連づけられている詳細コンテンツ７１が再生される（ステップＳ２０６）。複数の見出し情報７２がヒットした場合には、それぞれに対応づけられた詳細コンテンツ７１が順に再生される。
【００５８】
本実施の形態によれば、携帯電話機２ａが受信した配信情報の中から、更に詳細を知りたいものをユーザが選択して、コンテンツの再生を指示すれば、録画済みの番組コンテンツ７０の中から当該配信情報に関連する詳細コンテンツ７１を選択して再生させることができる。従って、録画済みの多くの番組コンテンツ７０の中から、興味のあるコンテンツを素早く見つけて再生させることができる。しかも、テレビ番組に相当する番組コンテンツ７０を更に細分化した詳細コンテンツごとに再生するため、同じテレビ番組内でも、無関係のコンテンツが再生されることがなく、ユーザは、希望するコンテンツだけを短時間で視聴することができる。
【００５９】
なお、情報源が同じであれば、配信情報と見出し情報７２のキーワードが一致する確率が高くなる。このため、再生信号に配信情報の情報源に関する情報（例えば毎朝新聞社）が含まれている場合、当該情報源に予め対応づけられたチャンネル周波数又はテレビ放送事業者（例えば毎朝新聞社系のテレビ局）の番組コンテンツ７０に関連づけられた見出し情報７２を優先的に検索することにより、検索時間を短縮することができる。
【００６０】
また、本実施の形態では、携帯電話機２ａを含むテレビ番組録画再生システムの例について説明したが、本発明は、この様な場合には限定されない。すなわち、配信情報を受信可能な携帯通信端末、例えば、ＰＤＡ（Personal Digital Assistant）やＰＨＳ（Personal Handy-phone System）を含むテレビ番組録画再生システムにも本発明を適用することができる。
【００６１】
実施の形態２．
実施の形態１では、テレビ番組録画再生装置１ａ及び携帯電話機２ａが赤外線信号を用いて通信し、再生されたコンテンツをコンテンツ出力装置３から出力させるテレビ番組録画再生システムについて説明した。これに対し、本実施の形態では、テレビ番組録画再生装置１ｂ及び携帯電話機２ｂが、移動体通信ネットワークＮを介して通信し、テレビ番組録画再生装置１ｂにおいて再生されたコンテンツが携帯電話機２ｂから出力されるテレビ番組録画再生システムについて説明する。
【００６２】
図６は、本発明の実施の形態２によるテレビ番組録画再生システムの一構成例を示した図である。図１のテレビ番組録画再生システム（実施の形態１）と比較すれば、コンテンツ出力装置３を備えておらず、また、テレビ番組録画再生装置１ｂが移動体通信ネットワークＮに接続されている点で異なっている。なお、図１に示されたブロックに相当するブロックには、同一の符号を付して重複する説明を省略する。
【００６３】
このシステムでは、携帯電話機２ｂからの再生信号は、移動体通信ネットワークＮを介して、テレビ番組録画再生装置１ｂへ送信される。また、テレビ番組録画再生装置１ｂで再生されたコンテンツは、移動体通信ネットワークＮを介して、携帯電話機２ｂへ送信される。このため、赤外線の届かないようなテレビ番組録画再生装置１ｂから離れた場所からでも、ユーザは、携帯電話機２ｂを用いて、コンテンツの再生を指示することができ、また、再生されたコンテンツを視聴することができる。
【００６４】
図７は、図６のテレビ番組録画再生装置１ｂの一構成例を示したブロック図である。図２のテレビ番組録画再生装置１ａ（実施の形態１）と比較すれば、赤外線受信部１１に代えて、ネットワーク通信部１９を備えている点で異なっている。なお、図２に示されたブロックに相当するブロックには、同一の符号を付して重複する説明を省略する。
【００６５】
ネットワーク通信部１９は、移動体通信ネットワークＮに接続された通信インターフェースであり、携帯電話機との間で双方向のデータ通信を行うことができる。このため、携帯電話機２ｂからの再生信号は、移動体通信ネットワークＮを介して、ネットワーク通信部１９が受信する。また、詳細コンテンツ再生部１８によって再生されたコンテンツは、移動体通信ネットワークＮを介して、携帯電話機２ｂへ送出される。
【００６６】
図８は、図６の携帯電話機２ｂの一構成例を示したブロック図である。図３の携帯電話機２ａ（実施の形態１）と比較すれば、赤外線受信部１１を備えておらず、コンテンツ出力制御部２７及びスピーカ２８を備えている点で異なっている。なお、図３に示されたブロックに相当するブロックには、同一の符号を付して重複する説明を省略する。
【００６７】
コンテンツ出力制御部２７は、再生されたコンテンツの出力制御を行っている。すなわち、コンテンツに含まれる映像情報を表示装置２４に表示させるとともに、当該コンテンツに含まれる音声信号をスピーカ２８から出力させる。テレビ番組録画再生装置１ａにおいて再生され、セルラー無線基地局６を介して、セルラー通信部２０が受信したコンテンツは、この様にしてコンテンツ出力制御部２７によって視聴可能に出力される。
【００６８】
また、セルラー通信部２０は、セルラー無線基地局６を介して、リモコン部２５で生成された再生信号をテレビ番組録画再生装置１ａへ送信する。
【００６９】
図９のステップＳ３０１〜Ｓ３０５は、図８の携帯電話機２ｂの動作の一例を示したフローチャートである。ステップＳ３０１〜３０３は、図４のステップＳ１０１〜Ｓ１０３と同様である。すなわち、セルラー無線基地局６を介して、情報配信サーバからの配信情報を受信し、ユーザが選択した配信情報に関連する詳細コンテンツ７１の再生を指示する再生信号をテレビ番組録画再生装置１ａへ送信する。ただし、本実施の形態では、この再生信号がセルラー無線基地局６を介して送信される。
【００７０】
その後、テレビ番組録画再生装置１ｂから詳細コンテンツ７１がストリーミング送信される。この当該詳細コンテンツ７１は、セルラー無線基地局６を介して、セルラー通信部２０によって受信され（ステップＳ３０４）、コンテンツ出力制御部２７によって視聴可能に出力される（ステップＳ３０５）。
【００７１】
本実施の形態によれば、テレビ番組録画再生装置１ｂ及び携帯電話機２ｂが、移動体通信ネットワークＮを介して通信することにより、両者が離れていても、携帯電話機２ｂから再生を指示することができ、また、再生されたコンテンツを携帯電話機２ｂにおいて視聴することができる。
【００７２】
なお、テレビ番組録画再生装置１ｂは、移動体通信ネットワークＮに直接的に接続されている必要は必ずしもない。例えば、テレビ番組録画再生装置１ｂをホームサーバとしてインターネットに接続しておき、携帯電話機２ａのブラウザ機能を使って、移動体通信ネットワークＮからインターネット経由で上記ホームサーバにアクセスするように構成することもできる。この場合、再生されたコンテンツは、携帯電話機２ａへストリーミング送信される。また、テレビ番組録画再生装置１ｂを電話回線に接続しておき、携帯電話機２ｂからテレビ番組録画再生装置１ｂに対して電話をかけることにより、両者間で通信を行うように構成することもできる。
【００７３】
さらに、コンテンツの送信方法はストリーミングには限定されず，例えば、テレビ番組録画再生装置１ｂにおいて、再生対象となる部分の映像を切り出して動画ファイルに変換し、電子メール機能を使って携帯電話機２ｂに送信し、携帯電話機２ｂにおいて当該動画ファイルを再生するように構成することもできる。
【００７４】
実施の形態３．
上記実施の形態では、テレビ番組を録画するテレビ番組録画再生装置１ａ又は１ｂと、配信情報を受信する携帯電話機２ａ又は２ｂとによってテレビ番組録画再生システムが構成されている場合について説明した。これに対し、本実施の形態では、テレビ番組を録画再生することができる携帯電話機、例えば、いわゆるワンセグ放送を受信し、番組コンテンツを録画再生することができる携帯電話機の場合について説明する。
【００７５】
図１０は、本発明の実施の形態３によるテレビ番組録画再生装置１ｃの一構成例を示した図である。このテレビ番組録画再生装置１ｃは、テレビ番組の録画再生を行うことができる携帯電話機である。図７及び図８（実施の形態２）と比較すれば、リモコン部２５及びネットワーク通信部１９を備えていない点で異なっている。また、再生された詳細コンテンツ７１が、詳細コンテンツ再生部１８からコンテンツ出力制御部２７へ直接出力され、ユーザによって選択された配信情報が、配信情報管理部２３から見出し情報検索部１７へ直接出力されている点で異なっている。なお、図７及び８に示されたブロックに相当するブロックには、同一の符号を付して重複する説明を省略する。
【００７６】
本実施の形態によれば、携帯電話機によって録画された番組コンテンツを携帯電話機において再生する際、ユーザが指定した配信情報に関連する詳細コンテンツを選択して再生させることができる。このため、配信情報を見てユーザが更に詳細を知りたいと思ったニュースなどについて、録画された番組コンテンツから、関連するコンテンツのみを抜き出して、再生させることができる。
【図面の簡単な説明】
【００７７】
【図１】本発明の実施の形態１によるテレビ番組録画再生システムの一構成例を示した図である。
【図２】図１のテレビ番組録画再生装置１ａの一構成例を示したブロック図である。
【図３】図１の携帯電話機２ａの一構成例を示したブロック図である。
【図４】図３の携帯電話機２ａの動作の一例を示したフローチャートである。
【図５】図２のテレビ番組録画再生装置１ａの動作の一例を示したフローチャートである。
【図６】本発明の実施の形態２によるテレビ番組録画再生システムの一構成例を示した図である。
【図７】図６のテレビ番組録画再生装置１ｂの一構成例を示したブロック図である。
【図８】図６の携帯電話機２ｂの一構成例を示したブロック図である。
【図９】図８の携帯電話機２ｂの動作の一例を示したフローチャートである。
【図１０】本発明の実施の形態３によるテレビ番組録画再生装置１ｃの一構成例を示した図である。
【符号の説明】
【００７８】
１ａ〜１ｃ  テレビ番組録画再生装置
２ａ，２ｂ  携帯電話機
３  コンテンツ出力装置
４  テレビアンテナ
５  テレビ電波塔
６  セルラー無線基地局
１０  操作入力部
１１  赤外線受信部
１２  録画予約管理部
１３  テレビチューナ
１４  見出し情報生成部
１５  番組コンテンツ録画部
１６  コンテンツ記録部
１７  見出し情報検索部
１８  詳細コンテンツ再生部
１９  ネットワーク通信部
２０  セルラー通信部
２１  操作入力部
２２  配信情報記憶部
２３  配信情報管理部
２４  表示装置
２５  リモコン部
２６  赤外線通信部
２７  コンテンツ出力制御部
２８  スピーカ
７０  番組コンテンツ
７１  詳細コンテンツ
７２  見出し情報
Ｎ  移動体通信ネットワーク
【図１】
0004889659.tif 000002
【図２】
0004889659.tif 000003
【図３】
0004889659.tif 000004
【図４】
0004889659.tif 000005
【図５】
0004889659.tif 000006
【図６】
0004889659.tif 000007
【図７】
0004889659.tif 000008
【図８】
0004889659.tif 000009
【図９】
0004889659.tif 000010
【図１０】
0004889659.tif 000011